(57)【要約】【課題】内燃機関１０の各気筒において燃焼に供される混合気同士の空燃比のばらつき度合いであるインバランス率を高精度に学習すること。【解決手段】ＷＧＲ３２を固定した状態で、空燃比センサ５０の出力値ＶＡＦの傾きを算出する。そして、算出された傾きを、内燃機関１０の回転速度と負荷とによって補正することで、気筒間の空燃比のばらつき度合いを定量化したインバランス率を算出する。インバランス率に基づき、目標空燃比に対応した空燃比センサ５０の出力値ＶＡＦ０がリッチ側に補正される。メインフィードバック制御部Ｍ１２では、空燃比センサ５０の出力値ＶＡＦを目標値ＶＡＦ＊にフィードバック制御する。【選択図】図１
2015203378.tif 000002
【特許請求の範囲】
【請求項１】
過給機と、過給機のタービンを迂回する経路の流路面積を調整するウェストゲートバルブとを備えた多気筒内燃機関に適用され、
前記ウェストゲートバルブの開口度を固定する固定処理部と、
該固定処理部によって前記開口度が固定された状態における前記ウェストゲートバルブの下流に設けられた空燃比センサの出力の傾きに基づき、前記多気筒内燃機関の各気筒において燃焼に供される混合気同士の空燃比のばらつき度合いであるインバランス率を学習する学習処理部とを備え、
前記学習処理部は、前記傾きに基づきインバランス率を学習するに際し、前記多気筒内燃機関の回転速度および負荷を加味する多気筒内燃機関のインバランス率学習装置。
【発明の詳細な説明】
【技術分野】
【０００１】
本発明は、過給機と、過給機のタービンを迂回する経路の流路面積を調整するウェストゲートバルブとを備えた多気筒内燃機関に適用される多気筒内燃機関のインバランス率学習装置に関する。
【背景技術】
【０００２】
たとえば特許文献１には、ウェストゲートバルブを全開状態としたときの空燃比センサの出力波形の傾きに基づき、内燃機関の各気筒において燃焼に供される混合気の空燃比のインバランス異常を判定する異常診断装置が記載されている。この装置は、ウェストゲートバルブを全開状態とすることで、空燃比センサに到達する排気の大部分をタービンを迂回した排気とすることで、インバランスの影響が空燃比センサの出力波形に大きく現れることを狙ったものである。
【先行技術文献】
【特許文献】
【０００３】
【特許文献１】特開２０１１−１８５１５９号公報
【発明の概要】
【発明が解決しようとする課題】
【０００４】
ところで、空燃比センサの傾きは、内燃機関の回転速度や負荷に応じて変動する。このため、インバランスが生じた場合に、これを補償する制御をするためにインバランス率を学習値として数値化する場合、回転速度や負荷に応じてインバランス率が変化する。このため、回転速度や負荷の影響により、インバランス率の学習精度が低下するおそれがある。
【０００５】
本発明は、そうした実情に鑑みてなされたものであり、その目的は、多気筒内燃機関の各気筒において燃焼に供される混合気同士の空燃比のばらつき度合いであるインバランス率を高精度に学習することのできる多気筒内燃機関のインバランス率学習装置を提供することにある。
【課題を解決するための手段】
【０００６】
以下、上記課題を解決するための手段およびその作用効果について記載する。
技術的思想１：過給機と、過給機のタービンを迂回する経路の流路面積を調整するウェストゲートバルブとを備えた多気筒内燃機関に適用され、前記ウェストゲートバルブの開口度を固定する固定処理部と、該固定処理部によって前記開口度が固定された状態における前記ウェストゲートバルブの下流に設けられた空燃比センサの出力の傾きに基づき、前記多気筒内燃機関の各気筒において燃焼に供される混合気同士の空燃比のばらつき度合いであるインバランス率を学習する学習処理部とを備え、前記学習処理部は、前記傾きに基づきインバランス率を学習するに際し、前記多気筒内燃機関の回転速度および負荷を加味する多気筒内燃機関のインバランス率学習装置。
【０００７】
インバランス率が同一であったとしても、回転速度や負荷に応じて空燃比センサの出力の傾きは変動する。この点に鑑み、上記装置では、空燃比センサの出力の傾きに基づきインバランス率を学習するに際し、回転速度および負荷が加味される。これにより、学習されるインバランス率から、空燃比センサの出力の傾きに対する回転速度や負荷の影響を抑制することができる。このため、多気筒内燃機関の各気筒において燃焼に供される混合気同士の空燃比のばらつき度合いであるインバランス率を高精度に学習することができる。
【図面の簡単な説明】
【０００８】
【図１】一実施形態にかかるシステム構成図。
【図２】同実施形態にかかるインバランス率の学習処理の手順を示す流れ図。
【発明を実施するための形態】
【０００９】
以下、内燃機関のインバランス率学習装置を具体化した一実施形態について、図面を参照して説明する。
図１に示すように、内燃機関１０には複数の気筒が設けられており、シリンダヘッド１２には各気筒に対応させてインジェクタ１４がそれぞれ設けられている。インジェクタ１４は、気筒内の燃焼室に燃料を噴射供給する。また、シリンダヘッド１２には新気を気筒内に導入するための吸気ポートと、燃焼ガスを気筒外へ排出するための排気ポートとが各気筒に対応してそれぞれ設けられている。各気筒の燃焼室では、燃料および新気からなる混合気が点火プラグの火花点火によって着火されて燃焼に供される。
【００１０】
吸気ポートにはインテークマニホールド１６が接続されている。インテークマニホールド１６は吸気通路１８に接続されている。吸気通路１８内にはその流路断面積を調整するスロットルバルブ２０が設けられている。
【００１１】
排気ポートにはエキゾーストマニホールド２２が接続されている。エキゾーストマニホールド２２は排気通路２４に接続されている。
排気通路２４の途中には、排気を利用して気筒に導入される吸入空気を過給する過給機２６が設けられている。詳しくは、過給機２６は、コンプレッサ２６ａおよびタービン２６ｂを備え、排気通路２４の途中には、排気によって回転するタービン２６ｂが設けられている。一方、コンプレッサ２６ａは、吸入空気を過給するものであり、吸気通路１８の途中に設けられている。
【００１２】
過給機２６の排気上流側と排気下流側とは、バイパス通路３０にて連通されており、このバイパス通路３０の途中には、同バイパス通路３０を開閉するウェストゲートバルブ（ＷＧＶ）３２が設けられている。ＷＧＶ３２の開口度が大きくなるほど、バイパス通路３０を流れる排気の量、つまりタービン２６ｂを迂回して流れる排気の量が多くなり、過給圧は低下する。
【００１３】
コンプレッサ２６ａとスロットルバルブ２０との間の吸気通路１８にはインタークーラ１９が設けられている。インタークーラ１９によって、過給機２６の過給により温度上昇した吸入空気が冷却される。
【００１４】
また、排気通路２４の途中にあって、過給機２６のタービン２６ｂよりも排気下流側には、排気を浄化するコンバータ４０が設けられている。コンバータ４０の内部には、排気浄化用の触媒４２（三元触媒）が配設されている。
【００１５】
過給機２６のタービン２６ｂとコンバータ４０との間であってＷＧＶ３２の下流側の排気通路２４には、空燃比センサ５０が設けられている。空燃比センサ５０は、排気中の酸素濃度を感知し、混合気の空燃比に応じて出力値を略リニアに変化させるセンサである。また、排気通路２４のうちコンバータ４０の下流側には、酸素センサ５２が設けられている。酸素センサ５２は、排気中の酸素濃度を感知し、混合気の空燃比が目標空燃比よりもリーンであるかリッチであるかに応じて出力値を急激に変化させるセンサである。
【００１６】
上記空燃比センサ５０の出力信号や、酸素センサ５２の出力信号は、制御装置６０に入力される。制御装置６０は、内燃機関１０を制御対象とし、混合気の空燃比を制御量とする制御装置である。以下、これについて説明する。なお、図１においては、制御装置６０が実行する処理のうち、空燃比に関する制御の一部をブロック図として示している。
【００１７】
基本噴射量算出部Ｍ１０は、図示しないアクセルペダルの操作量等に基づき、インジェクタ１４の噴射量の基本値（基本噴射量Ｑｂａｓｅ）を算出する。メインフィードバック制御部Ｍ１２は、空燃比センサ５０の出力値ＶＡＦを目標値ＶＡＦ＊にフィードバック制御するための操作量として、基本噴射量Ｑｂａｓｅを補正する補正量Ｋｍを算出する。
【００１８】
噴射量補正部Ｍ１４は、基本噴射量Ｑｂａｓｅを補正量Ｋｍによって補正する。そして、インジェクタ操作部Ｍ１６は、補正量Ｋｍによって補正された基本噴射量Ｑｂａｓｅに基づき、インジェクタ１４の操作量ＴＱを算出し、同操作量ＴＱをインジェクタ１４に出力する。これにより、インジェクタ１４から上記補正された基本噴射量Ｑｂａｓｅの燃料が噴射される。
【００１９】
サブフィードバック制御部Ｍ１８は、酸素センサ５２の出力値に基づき実際の空燃比を理論空燃比に制御するための操作量としての補正量Ｋｓを算出する。
インバランス率学習処理部Ｍ２０は、空燃比センサ５０の出力値ＶＡＦの傾きに基づき、内燃機関１０のうちの一部の気筒における混合気の空燃比が他の気筒における混合気の空燃比に対してリッチ側にずれる度合いであるインバランス率ＩＲを学習する。そして、学習されたインバランス率ＩＲに応じて、補正量Ｋｉを算出する。補正量Ｋｉは、一部の気筒における混合気の空燃比が他の気筒における混合気の空燃比に対してリッチ側にずれることに起因して、空燃比センサ５０の出力値ＶＡＦが全気筒における混合気の平均空燃比よりもリッチ側の値となることに鑑みたものである。このため、補正量Ｋｉは、インバランス率ＩＲが大きいほど、目標値ＶＡＦ＊をよりリッチ側の値とする量とされる。なお、インバランス率学習処理部Ｍ２０は、学習したインバランス率ＩＲが、補正量Ｋｉを用いても排気特性を許容範囲に収めることができないおそれがある値である場合には、図示しないインターフェースを通じて外部にその旨を通知する機能を有する。
【００２０】
目標値補正部Ｍ２２は、全気筒における混合気の空燃比が理論空燃比であるときの空燃比センサ５０の出力値ＶＡＦ０を、補正量Ｋｓおよび補正量Ｋｉによって補正することで、目標値ＶＡＦ＊を算出する。偏差算出部Ｍ２４は、空燃比センサ５０の出力値ＶＡＦに対する目標値ＶＡＦ＊の差を算出し、メインフィードバック制御部Ｍ１２に出力する。
【００２１】
ＷＧＶ操作部Ｍ２６は、実際の過給圧を要求過給圧に制御するためにＷＧＶ３２の開口度θを操作する。詳しくは、要求過給圧に応じて開口度θを設定し、設定した開口度θとするための操作信号ＭθをＷＧＶ３２に出力する。ここで、要求過給圧は、図示しないアクセルペダルの操作量に応じて定まる要求トルクと、内燃機関１０の回転速度とに基づき設定される。また、開口度θの制御は、フィードバック制御であることが望ましい。すなわち、図示しない開口度センサを備え、開口度センサの検出値を要求過給圧に応じて設定される値にフィードバック制御することが望ましい。ただし、開口度センサを備えず、ＷＧＶ３２に流す電流量や、バイパス通路３０内の圧力と開口度との関係を示すマップを備えることで、電流量や圧力から実際の開口度を把握してもよい。
【００２２】
また、ＷＧＶ操作部Ｍ２６は、インバランス率学習処理部Ｍ２０がインバランス率ＩＲを学習する処理を実行する場合には、インバランス率学習処理部Ｍ２０の指令により、開口度θを所定の開口度θ０に固定する。次に、インバランス率ＩＲの学習処理について説明する。
【００２３】
図２に、本実施形態にかかるインバランス率ＩＲの学習処理の手順を示す。この処理は、インバランス率学習処理部Ｍ２０によって、たとえば所定周期で繰り返し実行される。
この一連の処理においては、まずインバランス率学習処理部Ｍ２０は、インバランス率の学習処理の前提条件が成立したか否かを判断する（Ｓ１０）。本実施形態では、前提条件を、以下の各条件が成立することとする。
（ａ）空燃比センサ５０が活性化していること。これは、インバランス率ＩＲの学習処理が空燃比センサ５０の出力値ＶＡＦを入力としてなされることに鑑みて設けられたものである。空燃比センサ５０が活性化していることを条件とすることで、学習処理の精度を高く維持することが可能となる。
（ｂ）パージ量が所定値以下であること。これは、パージ量が多い場合、インジェクタ１４の個体差や経年変化等に起因した気筒間の空燃比のばらつきを空燃比センサ５０の出力値ＶＡＦによって検出することが困難となることに鑑みて設けられたものである。上記所定値は、インジェクタ１４の個体差や経年変化等に起因した気筒間の空燃比のばらつきを要求される精度で検出可能な値に設定される。
（ｃ）フューエルカットからの復帰後、所定時間以上経過していること。これは、フューエルカットからの復帰直後には、内燃機関１０における燃焼が安定しないおそれがあることに鑑みたものである。燃焼が安定することを条件とすることで、空燃比センサ５０の出力値ＶＡＦに基づきインバランス率ＩＲを高精度に学習することが可能となる。なお、所定時間は、燃焼が安定すると想定される時間に設定される。
（ｄ）内燃機関１０の回転速度が上限値および下限値によって規定される所定の速度領域内にあること。これは、気筒間の混合気の空燃比にばらつきが生じる場合に、空燃比センサ５０の出力値ＶＡＦにその影響が顕著に表れる領域において学習を行うためのものである。すなわち、内燃機関１０の回転速度が高回転となる場合、気筒間の混合気の空燃比のばらつきに起因した出力値ＶＡＦのリッチ側への周期的な変化が生じにくくなる。上記所定の速度領域は、気筒間の空燃比のばらつきに起因した出力値ＶＡＦのリッチ側への周期的な変化が生じにくくなる高回転領域を含まないように設定される。
（ｅ）内燃機関１０の負荷率が上限値および下限値によって規定される所定の領域内にあること。これは、気筒間で空燃比にばらつきが生じる場合に、空燃比センサ５０の出力値ＶＡＦにその影響が顕著に表れる領域において学習を行うためのものである。すなわち、負荷率が高い場合、噴射量が多くなることから、負荷率が低い場合と比較して、気筒間のインジェクタ１４の噴射量ばらつきの影響が空燃比センサ５０の出力値ＶＡＦに顕著に現れる。上記所定の領域は、気筒間のインジェクタ１４の噴射量ばらつきの影響が空燃比センサ５０の出力値ＶＡＦに顕著に現れる領域に設定される。なお、負荷率とは、内燃機関１０の回転速度および気筒内への吸入新気量を所与とした場合について、内燃機関１０が与えられた回転速度でスロットルバルブ２０を全開として定常運転しているときの気筒内への吸入新気量を基準「１」とした場合の上記所与の吸入新気量の比率である。
【００２４】
インバランス率学習処理部Ｍ２０は、前提条件が成立すると判断する場合（Ｓ１０：ＹＥＳ）、ＷＧＶ３２の開口度θを所定の開口度θ０に固定する（Ｓ１２）。すなわち、ＷＧＶ操作部Ｍ２６に開口度θを所定の開口度θ０に固定するように指示する。ここで、所定の開口度θ０は、インバランス率ＩＲの学習精度を向上させる上で適切な値となるように、極力大きい値に設定する。すなわち、開口度θが小さい場合、タービン２６ｂを通過する排気量が増加し、タービン２６ｂを通過する排気量が増加する場合には、空燃比センサ５０に到達する排気が、各気筒から排出される排気が混ざり合ったものとなりやすくなる。そしてこの場合には、空燃比センサ５０の出力値ＶＡＦに、気筒間の空燃比のばらつきの影響が現れにくくなる。
【００２５】
また、この処理においてＷＧＶ３２の開口度θを固定するのは、ＷＧＶ３２の開口度θの変化による空燃比センサ５０の出力値ＶＡＦの変動を回避するためである。すなわち、ＷＧＶ３２の開口度θが変化すると、空燃比センサ５０への排気の当たり方が変化する。そして、排気の当たり方が変化すると、気筒間の空燃比ばらつきに起因した空燃比センサ５０の出力値ＶＡＦの傾きが変化する。
【００２６】
次にインバランス率学習処理部Ｍ２０は、空燃比センサ５０の出力値ＶＡＦが周期的にリッチ側にずれる現象が生じる場合に、リッチ側にずれる際の出力値ＶＡＦの傾きΔＶＡＦを算出する（Ｓ１４）。なお、リッチ側へのずれが生じていない場合には、傾きΔＶＡＦはゼロとされる。
【００２７】
そしてインバランス率学習処理部Ｍ２０は、上記傾きΔＶＡＦに補正係数Ｋを乗算することで、インバランス率ＩＲを算出する（Ｓ１６）。ここで、補正係数Ｋは、内燃機関１０の回転速度と、負荷とに基づき算出される。ここで、傾きΔＶＡＦを回転速度に基づき補正するのは、気筒間の空燃比のばらつきが同一であっても、傾きΔＶＡＦが回転速度に応じて変化するためである。また、傾きΔＶＡＦを負荷に応じて補正するのは、気筒間の空燃比のばらつきが同一であっても、傾きΔＶＡＦが負荷に応じて変化するためである。なお、傾きΔＶＡＦは、基本的には、低回転速度且つ高負荷の領域において他の領域よりも大きくなる傾向がある。ちなみに、上記負荷としては、負荷率や、トルク、吸入空気量、噴射量等を用いることができる。
【００２８】
こうしてインバランス率ＩＲの学習が完了すると、インバランス率学習処理部Ｍ２０は、ＷＧＶ３２の開口度θを所定の開口度θ０に固定する処理を解除する（Ｓ１８）。すなわち、インバランス率学習処理部Ｍ２０は、ＷＧＶ操作部Ｍ２６に、所定の開口度θ０への固定の指令を解除する旨を通知する。これにより、ＷＧＶ操作部Ｍ２６では、要求過給圧に応じて開口度θを制御する。
【００２９】
なお、インバランス率学習処理部Ｍ２０は、ステップＳ１８の処理が完了する場合や、ステップＳ１０において否定判断する場合には、この一連の処理を一旦終了する。
次に本実施形態の作用を説明する。
【００３０】
インバランス率学習の前提条件が成立すると、ＷＧＶ３２の開口度θが所定の開口度θ０に固定される。そして、空燃比センサ５０の出力値ＶＡＦの傾きΔＶＡＦが検出される。そして、傾きΔＶＡＦが検出されたときの内燃機関１０の回転速度と負荷とに基づき傾きΔＶＡＦが補正されることで、インバランス率ＩＲが算出される。これにより、以後、学習されたインバランス率ＩＲに基づき、目標値ＶＡＦ＊が補正される。ここで、インバランス率ＩＲが大きいほど、空燃比センサ５０の出力値ＶＡＦは、実際の空燃比よりもリッチ側にずれるため、インバランス率ＩＲに基づく目標値ＶＡＦ＊の補正がなされない場合には、メインフィードバック制御部Ｍ１２によって、実際の空燃比が目標空燃比よりもリーン側の空燃比に制御される。これに対し、インバランス率ＩＲに基づく目標値ＶＡＦ＊が出力値ＶＡＦ０よりもリッチ側に補正されることで、空燃比センサ５０の出力値ＶＡＦが目標空燃比に対応した出力値ＶＡＦ０よりもリッチ側の値に制御される。これにより、実際の空燃比を目標空燃比に近づけることができる。
【００３１】
以上説明した本実施形態によれば、以下に記載する効果が得られるようになる。
（１）ＷＧＶ３２の開口度θが所定の開口度θ０に固定された状態で検出された傾きΔＶＡＦを、回転速度および負荷によって補正することでインバランス率ＩＲを算出した。これにより、回転速度や負荷によって傾きΔＶＡＦが変動する場合であっても、インバランス率ＩＲを、気筒間の空燃比のばらつき度合いを表現するに際して回転速度や負荷の影響が低減された量とすることが可能となり、ひいては学習されたインバランス率ＩＲの精度を向上させることができる。
【００３２】
（２）精度のよいインバランス率ＩＲに基づき燃料噴射制御を補正することで、インジェクタ１４の異常の誤検出を十分に抑制することができる。すなわち、インバランス率ＩＲの学習精度が低い場合には、排気特性が許容範囲から外れるおそれのあるインバランス率ＩＲのしきい値を低く設定する必要が生じる。そして、この場合、インジェクタ１４に許容される公差等に起因してインバランス率ＩＲがしきい値を超えると判断されるおそれがある。これに対し、精度の良いインバランス率ＩＲを用いて燃料噴射制御を補正する場合、排気特性が許容範囲からはずれる事態が生じるおそれがあるのは、インジェクタ１４の噴射特性が大きく変化する異常が生じた場合に限られることとなり、しきい値を大きい値に設定することが可能となる。
【００３３】
（３）精度のよいインバランス率ＩＲに基づき燃料噴射制御を補正することで、コストアップや内燃機関１０の出力低下を抑制することができる。すなわち、傾きΔＶＡＦを補正する処理を行うことなくインバランス率ＩＲを算出する場合、インバランス率ＩＲの精度を向上させる一手法は、空燃比センサ５０の応答性を高めることであるが、これは、個体差のばらつきとして許容される範囲を狭める必要を生じさせ、ひいては空燃比センサ５０のコストアップを招く。また、インバランス率ＩＲの算出精度を高めるべく、空燃比センサ５０への排気の当たり方を上記算出にとって理想的なものに近づけるために排気通路２４の流路面積を縮小する場合には、背圧が上昇し、内燃機関１０の出力低下につながる。
【００３４】
＜技術的思想と実施形態との対応＞
以下、上記「課題を解決するための手段」に記載された技術的思想と、実施形態との代表的な対応関係を記載する。
【００３５】
［技術的思想１：迂回する経路…３０、固定処理部…Ｓ１２、学習処理部…Ｓ１６］
＜その他の実施形態＞
なお、上記各実施形態は、以下のように変更して実施してもよい。
【００３６】
・「固定処理部について」
上記実施形態では、学習のためのＷＧＶ３２の開口度を、単一の値としたが、これに限らない。たとえば複数の値を予め用意しておき、上記前提条件が成立する場合、そのときの運転領域に応じて最も適切な値に固定するようにしてもよい。なお、この場合、インバランス率ＩＲの補正係数Ｋを、開口度θに応じて可変設定することが望ましい。
【００３７】
・「学習処理部について」
補正係数Ｋを傾きΔＶＡＦに乗算することでインバランス率ＩＲを算出するものに限らない。たとえば、傾きΔＶＡＦ、回転速度、および負荷の３つのパラメータと、インバランス率ＩＲとの関係を定めた３次元マップを用いてインバランス率ＩＲを算出するものであってもよい。
【００３８】
・「インバランス率ＩＲの利用法について」
目標値ＶＡＦ＊を補正する補正量Ｋｉの算出に利用するものに限らず、たとえば、偏差算出部Ｍ２４に入力される空燃比センサ５０の出力値ＶＡＦや、偏差算出部Ｍ２４の出力値を補正する補正量の算出に利用するものであってもよい。また、メインフィードバック制御部Ｍ１２の入力を補正する補正量の算出に利用されるものにも限らず、たとえば、基本噴射量Ｑｂａｓｅを直接補正する補正量の算出に利用されるものであってもよい。
【００３９】
・「学習処理の前提条件について」
上記実施形態において例示したものに限らない。たとえば上記（ｄ）において、回転速度の上限値のみを定め、上記（ｅ）において負荷率の下限値のみを定めてもよい。また、たとえば、上記（ｅ）において、負荷率に代えて、トルク、噴射量、および吸入空気量のいずれかを用いてもよい。
【００４０】
・「そのほか」
排気通路２４のうち空燃比センサ５０の上流側の流路断面積を可変にできる装置を搭載してもよい。この場合、インバランス率ＩＲの学習処理時には、流路断面積を小さくして、空燃比センサ５０への排気の当たり方をインバランス率ＩＲの算出にとって理想的なものとすることができる。一方、内燃機関１０に高出力が要求される時には、流路断面積を最大化することで、内燃機関１０の出力を最大化することができる。
【００４１】
また、たとえば過給機２６のうちタービン２６ｂの下流にバルブを備えてもよい。この場合、インバランス率ＩＲの学習に際しては、バルブを閉じることで、空燃比センサ５０に到達する排気の全てを、バイパス通路３０を通過したものとすることができる。
【００４２】
内燃機関１０としては、４気筒のものに限らない。
【符号の説明】
【００４３】
θ…開口度、Ｋ…補正係数、ＩＲ…インバランス率、Ｋｉ，Ｋｍ，Ｋｓ…補正量、Ｍθ…操作信号、Ｍ１０…基本噴射量算出部、Ｍ１２…メインフィードバック制御部、Ｍ１４…噴射量補正部、Ｍ１６…インジェクタ操作部、Ｍ１８…サブフィードバック制御部、Ｍ２０…インバランス率学習処理部、Ｍ２２…目標値補正部、Ｍ２４…偏差算出部、Ｍ２６…ＷＧＶ操作部、ＶＡＦ＊…目標値、１０…内燃機関、１２…シリンダヘッド、１４…インジェクタ、１６…インテークマニホールド、１８…吸気通路、１９…インタークーラ、２０…スロットルバルブ、２２…エキゾーストマニホールド、２４…排気通路、２６…過給機、２６ａ…コンプレッサ、２６ｂ…タービン、３０…バイパス通路、３２…ＷＧＶ、４０…コンバータ、４２…触媒、５０…空燃比センサ、５２…酸素センサ、６０…制御装置。
【図１】
2015203378.tif 000003
【図２】
2015203378.tif 000004